(57)【要約】【課題】  左右一対のアームを介して背もたれを後傾可能に支持した場合において、左右何れかに後傾力が付与されても、背もたれの捻れ変形を防止して左右のアームを等しく回転させることのできる椅子を提供すること。【解決手段】  左右一対の支持脚１１の各上部にアーム１３，１３の第１の端部２０Ａが回転可能に取り付けられている一方、アーム１３の第２の端部２１Ａが背もたれ１４の下部背面側に固定されている。第２の端部２１Ａ間には、捻れ変形防止手段を構成する隆起形状部３０が設けられ、背もたれの左右何れか一方に後傾荷重が加わっても、左右両側が略同一の傾斜角度となるように左右のアームを略等しく回転させるようになっている。【選択図】          図３
2006204732.tif 000002
【特許請求の範囲】
【請求項１】
支持脚の上部に配置された座部と、所定の支持部材を介して前記支持脚若しくは座部に回転可能に支持された背もたれとを含む椅子において、
前記支持部材は第１及び第２の端部を有する左右一対のアームにより構成されるとともに、これらアームの第１の端部は支持脚又は座部に回転可能に連結される一方、第２の端部は背もたれの面内に固定され、
前記背もたれは、前記第２の端部間に捻れ変形防止手段を一体に備えていることを特徴とする椅子。
【請求項２】
支持脚の上部に配置された座部と、所定の支持部材を介して前記支持脚若しくは座部に回転可能に支持された背もたれとを含む椅子において、
前記支持部材は第１及び第２の端部を有する左右一対のアームにより構成されるとともに、これらアームの第１の端部は支持脚又は座部に回転可能に連結される一方、第２の端部は背もたれの面内に固定され、
前記背もたれは、前記第２の端部間に捻れ変形防止手段を一体に備え、当該捻れ変形防止手段は、背もたれの左右何れか一方に荷重が付与されたときに、当該背もたれの左右両側が略同一の傾斜角度となるように各アームを略等しく回転させることを特徴とする椅子。
【請求項３】
前記背もたれは、下部背面側に前記各アームの第２の端部側を受容する左右一対の受容部を備え、これら受容部間に前記捻れ変形防止手段が設けられていることを特徴とする請求項１又は２記載の椅子。
【請求項４】
前記捻れ変形防止手段は、背面位置が前記受容部の底面に対して隆起した隆起形状部により構成されていることを特徴とする請求項３記載の椅子。
【請求項５】
前記隆起形状部は中空部を備えていることを特徴とする請求項４記載の椅子。
【請求項６】
前記各アームは、前記背もたれの側端部から背面側に回り込むとともに、前記第２の端部が背もたれの下部背面における中央近傍まで延びる長さを備えていることを特徴とする請求項１，２，３，４又は５記載の椅子。
【発明の詳細な説明】
【技術分野】
【０００１】
本発明は椅子に係り、更に詳しくは、リクライニングタイプの椅子における背もたれの支持構造に関する。
【背景技術】
【０００２】
周知のように、リクライニングタイプの椅子は、支持脚若しくは座部に対して、背もたれを支持するアームを回転可能に設ける構成が採用されている。このタイプの椅子は、例えば、図６に示されるように、支持脚５０の上端に一対のアーム５１，５１の各一端側がそれぞれ回転可能に設けられている。各アーム５１の他端側は、背もたれ５２の下部背面側に位置し、これらアーム５１，５１は、背もたれ５２の下部背面側を左右方向に延びる連結アーム５４によって相互に連結され、これにより、背もたれ５２の左右何れかに対して後ろ向きの偏荷重が作用しても、背もたれ５２の捻れ変形が防止されて左右のアーム５１，５１が略等しく回転できるようになっている。
【発明の開示】
【発明が解決しようとする課題】
【０００３】
しかしながら、このような椅子にあっては、背もたれ５２を支持する構成部品として、左右のアーム５１，５１の他に連結アーム５４が必要となり、部品点数が増大する、という不都合がある。
そこで、部品点数を少なくし、且つ、背もたれ５２の偏荷重に対する捻れ変形を防止すべく、アーム５１，５１及び連結アーム５４を一体化させる単一の部品の採用も考えられる。
【０００４】
ところが、このようにアーム及び連結アームを一体化した構成を採用すると、部品としてのサイズが大型化するばかりでなく、成形用の金型が必然的に大型化して製造設備に要するコストが高騰する、という不都合を招来する。
【０００５】
［発明の目的］
本発明は、このような不都合に着目して案出されたものであり、その目的は、左右一対のアームを構成部品として採用しつつも、これらを相互に連結する部品を必要とすることがなく、背もたれに偏荷重が作用しても、当該背もたれの捻れ変形を効果的に防止して各アームを略等しく回転させることのできる椅子を提供することにある。
【課題を解決するための手段】
【０００６】
前記目的を達成するため、本発明は、支持脚の上部に配置された座部と、所定の支持部材を介して前記支持脚若しくは座部に回転可能に支持された背もたれとを含む椅子において、
前記支持部材は第１及び第２の端部を有する左右一対のアームにより構成されるとともに、これらアームの第１の端部は支持脚又は座部に回転可能に連結される一方、第２の端部は背もたれの面内に固定され、
前記背もたれは、前記第２の端部間に捻れ変形防止手段を一体に備える、という構成を採っている。
【０００７】
また、本発明は、支持脚の上部に配置された座部と、所定の支持部材を介して前記支持脚若しくは座部に回転可能に支持された背もたれとを含む椅子において、
前記支持部材は第１及び第２の端部を有する左右一対のアームにより構成されるとともに、これらアームの第１の端部は支持脚又は座部に回転可能に連結される一方、第２の端部は背もたれの面内に固定され、
前記背もたれは、前記第２の端部間に捻れ変形防止手段を一体に備え、当該捻れ変形防止手段は、背もたれの左右何れか一方に荷重が付与されたときに、当該背もたれの左右両側が略同一の傾斜角度となるように各アームを略等しく回転させる、という構成を採っている。
【０００８】
本発明において、前記背もたれは、下部背面側に前記各アームの第２の端部側を受容する左右一対の受容部を備え、これら受容部間に前記捻れ変形防止手段を設けることが好ましい。
【０００９】
また、前記捻れ変形防止手段は、背面位置が前記受容部の底面に対して隆起した隆起形状部により構成することができる。この際、隆起形状部は中空部を備えた形状にするとよい。
【００１０】
更に、前記各アームは、前記背もたれの側端部から背面側に回り込むとともに、前記第２の端部が背もたれの下部背面における中央近傍まで延びる長さにすることが好ましい。
【発明の効果】
【００１１】
本発明によれば、各アームの第２の端部間に捻れ変形防止手段が位置するように背もたれが構成されているので、各アームを相互に連結する部材を必要とすることがなく、背もたれの左右何れかに後ろ向きの偏荷重が作用しても、各アームを略等しく回転させることが可能となる。
【００１２】
また、背もたれの下部背面側に設けられた受容部にアームを受容させるとともに、当該受容部間に捻れ変形防止手段を設けた構成により、所定の剛性を有しつつも背もたれの下部背面側を面一にすっきりした外観に保つことができる他、何れか他方のアームを回転させようとする荷重が付与されても、当該荷重を等しく分散して他方アームに伝達し易くすることができる。
【００１３】
また、前記捻れ変形防止手段が背もたれの一部を隆起させることによって構成できるので、僅かな形状変更を行うだけで別途の部品を必要とすることもない。しかも、隆起形状部を中空形状とした構成と相俟って捻れ変形に対抗し得る一層の剛性を付与することができる。
【００１４】
更に、各アームが背もたれの下部背面における中央近傍まで延びる長さとすることで、各アームと背もたれとの連結強度を高めることができるとともに、捻れ変形防止手段の領域を小さくして左右のアームの連動性能を向上させることができる。
【発明を実施するための最良の形態】
【００１５】
以下、本発明の好ましい実施形態を図面を参照しながら説明する。なお、本明細書における位置若しくは方向を示す用語は、背もたれが後方位置となる状態で椅子を正面から見た場合を基準とする。
【００１６】
図１には、本実施形態に係る椅子の概略側面図が示され、図２には、椅子を背面側から見た概略斜視図が示されている。これらの図において、椅子１０は、左右一対の支持脚１１と、これら支持脚１１の上部間に配置された座部１２と、支持脚１１の上端部に支持された左右一対の支持部材としてのアーム１３，１３と、当該アーム１３，１３を介して座部１２の後部上方に配置された背もたれ１４とを備えて構成されている。
【００１７】
前記支持脚１１は、特に限定されるものではないが、本実施形態では、床面に沿って前後方向（図１中左右方向）に位置するとともに、後端部間が図示しない連結フレーム部を介して連なる左右一対の接地フレーム部１１Ａと、各接地フレーム部１１Ａの前端から上部後方に延びて上端が座部１２よりも若干上方に位置する傾斜フレーム部１１Ｂとにより構成されている。ここで、前記傾斜フレーム１１Ｂの上端には、前記アーム１３を回転可能に支持するアーム取付部１５と、このアーム取付部１５と一体に設けられた肘掛け部１６がそれぞれ設けられている。
【００１８】
前記アーム１３，１３は、左右対称形状をなす成形品、例えば、ダイキャスト成形品により構成されている。このアーム１３は、図３及び図４に示されるように、前記アーム取付部１５に回転可能に取付けられる第１の端部２０Ａを備えた短寸アーム部２０と、この短寸アーム部２０に連なるとともに、背もたれ１４の下部背面側中央部に位置する第２の端部２１Ａを備えた長寸アーム部２１とを備え、平面視で、略Ｌ型を基本形状として長寸アーム部２１が背もたれの背面に沿って緩やかに湾曲した形状となっている（図５参照）。
【００１９】
前記第１の端部２０Ａの外面側には、図４に示されるように、アーム１３の回転中心軸となる突軸２３が設けられており、当該突軸２３は、アーム取付部１５の内面側に設けられた図示しない軸受穴に支持される。また、第１の端部２０Ａとアーム取付部１５との間には、図示しないスプリングが介装され、これにより、背もたれ１４を一定の静止位置に保つとともに、背もたれ１４の後傾力が解除されたときに、当該背もたれ１４を初期位置に復帰させるようになっている。なお、図５にも示されるように、長寸アーム部２１において、短寸アーム部２０寄りの表裏各面には段部２５，２６が形成されて当該段部２５，２６から第２の端部２１Ａまでの領域が背もたれ１４の下部背面側に形成された左右一対の受容部２７，２７に受容され、ねじ２９により背もたれ１４に固定されるようになっている。また、長寸アーム部２１は、受容部２７，２７間の領域、すなわち、背もたれ１４の下部中央領域に形成された捻り変形防止手段としての隆起形状部３０まで延びる長さを備えて構成されている。
【００２０】
前記背もたれ１４は、図３に示されるように、樹脂材料によって形成された芯材１４Ａと、これを上方よりカバーして下端側が図示省略したファスナー等によって封止される表装クロス材１４Ｂとを備えて構成され、芯材１４Ａの面内に前記受容部２７と隆起形状部３０がそれぞれ形成されている。受容部２７は、図４及び図５に示されるように、アーム１３の長寸アーム部２１の長さに略対応して芯材１４Ａの背面側を段落ちさせることによって形成され、この受容部２７の面内にねじ２９の挿入穴２７Ａが形成されている。また、隆起形状部３０は、受容部２７の底面よりも背面側に隆起させることによって形成され、当該隆起形状部３０は平面視で縦長長方形状を呈しており、その内部は、芯材１４Ａの下端側を開放する中空部３１として形成され、これにより、隆起形状部３０における剛性が高められるようになっている。なお、隆起形状部３０の図３中上端側は、受容部２７を除き、芯材１４Ａの背面側に段差なく連なるように設けられ、これにより、表装クロス材１４Ｂを貼ったあとにおいて段差が表れることがない。
【００２１】
前記椅子１０を組み立てるときは、前記受容部２７，２７に各アーム１３，１３の長寸アーム部２１、２１をそれぞれ受容させ、ねじ２９を用いて各長寸アーム部２１が受容部２７に固定される。各アーム１３の第１の端部２０Ａに設けられた突軸２３をアーム取付部１５に当てがい、図示しないスプリングを介在させてアーム取付部１５に回転可能に取り付けられる。なお、この取付に前後して、背もたれ１４を構成する芯材１４Ａの上端側から表装クロス材１４Ｂが被せられて下端側がファスナー等で封止される。
【００２２】
以上の構成を備えた椅子１０において、着座者が背中を反らせて背もたれ１４の前面に等しく後傾力を付与した場合には、各アーム１３，１３は、等角度の回転を伴って背もたれ１４の後傾を許容する。
【００２３】
ここで、背もたれ１４の面に対し、左右何れかの領域に後傾力が付与された場合、すなわち、背もたれの左右方向中心に対して偏荷重が後ろ向きに付与された場合には、当該偏荷重が付与されている側のアーム１３が積極的に回転して背もたれ１４の下部領域が捻れ変形しようとする傾向をもたらすが、本実施形態によれば、長寸アーム部２１が受容部２７に受容された状態で固定されているとともに、第２の端部２１Ａが隆起形状部３０の直近に位置するように長寸アーム部２１が背もたれ１４の下部背面側に延び、且つ、隆起形状部３０が一定の剛性を発揮する構成となっているため、背もたれ１４の捻れが防止されて他方のアーム１３に回転力を同時に伝達するようになる。従って、前記偏荷重が背もたれ１４に作用しても、左右のアーム１３，１３は、略等しく回転することができ、背もたれ１４の左右両側が略同一の傾斜角度で傾斜することとなる。
【００２４】
従って、着座者が反り返った時に、着座者の背中に違和感を付与することがないとともに、椅子１０のリクライニング構造部分に対して局所的な応力集中等を回避して耐久性を向上させることができる。
【００２５】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、数量その他の詳細な構成において、当業者が様々な変形を加えることができるものである。
従って、上記に開示した形状、位置、数量などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２６】
例えば、前記実施形態では、アーム１３の第１の端部２０Ａが支持脚１１に支持される構成を図示、説明したが、本発明はこれに限定されるものではなく、座部１３の左右両側にアーム１３を回転可能に支持する構成であってもよい。
【００２７】
また、捻れ変形防止部は隆起形状部３０に限らず、複数のリブを並列状若しくは格子状に設けたりすることでもよい。要するに、本発明は、左右両側に配置されるアーム１３の何れか一方に偏って荷重が付与されても、他方のアーム１３に等しく荷重が及ぶように捻れ変形を防止することのできる形状であれば足りる。また、隆起形状部３０は中空部３１を省略することを妨げない。
【００２８】
更に、本発明における支持脚１１は図示構成例に限定されるものではなく、例えば、下端部にキャスター等を備えたタイプ等、種々の支持脚を含む。
【図面の簡単な説明】
【００２９】
【図１】本実施形態に係る椅子の概略側面図。
【図２】前記椅子を背面側下部から見た要部概略斜視図。
【図３】背もたれの表装クロス材を一部破断した状態を示す図２と同様の要部概略斜視図。
【図４】図３の一部分解斜視図。
【図５】背もたれにアームが受容された状態を一部断面して示す底面図。
【図６】従来の背もたれ支持構造を示す要部概略斜視図。
【符号の説明】
【００３０】
１０  椅子
１１  支持脚
１２  座部
１３  アーム（支持部材）
１４  背もたれ
２０Ａ  第１の端部
２１Ａ  第２の端部
２７  受容部
３０  隆起形状部（捻れ変形防止手段）
３１  中空部
【図１】
2006204732.tif 000003
【図２】
2006204732.tif 000004
【図３】
2006204732.tif 000005
【図４】
2006204732.tif 000006
【図５】
2006204732.tif 000007
【図６】
2006204732.tif 000008